(57)【要約】【課題】本発明は、拡張現実情報を用いてユーザの性向に合ったソーシャルネットワーク上の友達推薦リストを提供する端末機、サーバ、並びにこれを利用した拡張現実提供システム及び方法を提供する。【解決手段】本発明の一実施形態に係る拡張現実提供システムは、複数の端末機の拡張現実ヒストリー情報を格納するサーバ、及び前記拡張現実ヒストリー情報を利用して拡張現実サービスを提供する端末機、を含み、前記端末機は、前記サーバに格納された前記拡張現実ヒストリー情報に基づいて友達推薦リストを生成し、前記友達推薦リストを前記端末機のユーザに提供することを特徴とする。【選択図】図３
2012141971.tif 000002
【特許請求の範囲】
【請求項１】
サーバに格納された拡張現実ヒストリー情報を利用して拡張現実サービスを提供する端末機であって、
前記サーバから前記拡張現実ヒストリー情報を受信する通信部、及び
前記通信部を介して前記サーバから前記拡張現実ヒストリー情報を受信し、前記受信した拡張現実ヒストリー情報に基づいて友達推薦リストを生成し、前記友達推薦リストを前記端末機のユーザに提供する制御部、を含むことを特徴とする端末機。
【請求項２】
前記拡張現実ヒストリー情報は、各端末機のユーザの個人情報、拡張現実の利用オブジェクト情報、利用時間情報、利用位置情報、検索キーワード情報、検索時間情報、及び検索位置情報のうち一つ以上を含むことを特徴とする請求項１に記載の端末機。
【請求項３】
前記友達推薦リストは、他の端末機のユーザの名前、性別、年齢、電話番号、ＳＮＳのＩＤのうち一つ以上の情報を含むことを特徴とする請求項１に記載の端末機。
【請求項４】
前記制御部が前記拡張現実ヒストリー情報に基づいて友達推薦リストを生成することは、
前記端末機の拡張現実ヒストリー情報と、他の端末機の拡張現実ヒストリー情報との類似度を計算し、前記類似度に基づいて前記友達推薦リストを生成することを特徴とする請求項１に記載の端末機。
【請求項５】
前記端末機の拡張現実ヒストリー情報を格納するメモリをさらに含み、
前記制御部は、前記メモリに格納された前記端末機の拡張現実ヒストリー情報を友達推薦リストの生成に利用することを特徴とする請求項１に記載の端末機。
【請求項６】
前記拡張現実ヒストリー情報は、ユーザによって前記端末機の入力部を介して入力されたユーザ追加情報を含むことを特徴とする請求項１に記載の端末機。
【請求項７】
複数の端末機の拡張現実ヒストリー情報が格納されたメモリと、
前記端末機から友達推薦リストの要請を受信し、前記友達推薦リストの要請を送信した前記端末機に前記友達推薦リストを送信する通信部と、
前記格納された拡張現実ヒストリー情報に基づいて友達推薦リストを生成する処理部と、を含むことを特徴とするサーバ。
【請求項８】
前記拡張現実ヒストリー情報は、各端末機のユーザの個人情報、拡張現実の利用オブジェクト情報、利用時間情報、利用位置情報、検索キーワード情報、検索時間情報、及び検索位置情報のうち一つ以上を含むことを特徴とする請求項７に記載のサーバ。
【請求項９】
前記友達推薦リストは、各端末機のユーザの名前、性別、年齢、電話番号、ＳＮＳのＩＤのうち一つ以上の情報を含むことを特徴とする請求項７に記載のサーバ。
【請求項１０】
前記拡張現実ヒストリー情報に基づいて友達推薦リストを生成することは、
各端末機の拡張現実ヒストリー情報の類似度を計算し、前記類似度に基づいて前記友達推薦リストを生成することを含むことを特徴とする請求項７に記載のサーバ。
【請求項１１】
前記サーバには、複数の端末機のユーザによって入力されたユーザ追加情報が格納され、前記ユーザ追加情報に基づいて前記友達推薦リストを生成することを特徴とする請求項７に記載のサーバ。
【請求項１２】
前記サーバは、前記端末機からユーザ追加情報を受信し、前記ユーザ追加情報に基づいて前記友達推薦リストを生成することを特徴とする請求項７に記載のサーバ。
【請求項１３】
複数の端末機の拡張現実ヒストリー情報を格納するサーバ、及び
前記拡張現実ヒストリー情報を利用して拡張現実サービスを提供する端末機、を含み、
前記端末機は、前記サーバに格納された前記拡張現実ヒストリー情報に基づいて友達推薦リストを生成し、前記友達推薦リストを前記端末機のユーザに提供することを特徴とする拡張現実提供システム。
【請求項１４】
前記拡張現実ヒストリー情報は、各端末機のユーザの個人情報、拡張現実の利用オブジェクト情報、利用時間情報、利用位置情報、検索キーワード情報、検索時間情報、及び検索位置情報のうち一つ以上を含むことを特徴とする請求項１３に記載の拡張現実提供システム。
【請求項１５】
前記友達推薦リストは、他の端末機のユーザの名前、性別、年齢、電話番号、ＳＮＳのＩＤのうち一つ以上の情報を含むことを特徴とする請求項１３に記載の拡張現実提供システム。
【請求項１６】
前記友達推薦リストは、前記端末機の拡張現実ヒストリー情報と他の端末機の拡張現実ヒストリー情報との類似度を計算し、前記類似度に基づいて前記友達推薦リストを生成することを特徴とする請求項１３に記載の拡張現実提供システム。
【請求項１７】
前記端末機は、前記端末機のメモリに格納された前記端末機のユーザ追加情報を検索し、前記ユーザ追加情報を友達推薦リストの生成に利用することを特徴とする請求項１３に記載の拡張現実提供システム。
【請求項１８】
拡張現実サービスを提供する方法であって、
サーバに、複数の端末機の拡張現実ヒストリー情報を含む拡張現実ヒストリー情報を要請することと、
前記拡張現実ヒストリー情報を受信することと、
前記拡張現実ヒストリー情報に基づいて、友達推薦リストを生成することと、
前記生成された友達推薦リストを表示することと、を含むことを特徴とする拡張現実提供方法。
【請求項１９】
前記拡張現実ヒストリー情報は、各端末機のユーザの個人情報、拡張現実の利用オブジェクト情報、利用時間情報、利用位置情報、検索キーワード情報、検索時間情報、及び検索位置情報のうち一つ以上を含むことを特徴とする請求項１８に記載の拡張現実提供方法。
【請求項２０】
前記友達推薦リストは、他の端末機のユーザの名前、性別、年齢、電話番号、ＳＮＳのＩＤのうち一つ以上の情報を含むことを特徴とする請求項１８に記載の拡張現実提供方法。
【請求項２１】
前記友達推薦リストを生成することは、
前記端末機の拡張現実ヒストリー情報と他の端末機の拡張現実ヒストリー情報との類似度を計算することを含むことを特徴とする請求項１８に記載の拡張現実提供方法。
【請求項２２】
拡張現実サービスを提供する方法であって、
端末機から友達推薦リストの要請を受信することと、
前記端末機の拡張現実ヒストリー情報と、他の端末機の拡張現実ヒストリー情報とを認識することと、
前記認識された拡張現実ヒストリー情報に基づいて、友達推薦リストを生成することと、
前記生成された友達推薦リストを送信することと、を含むことを特徴とする拡張現実提供方法。
【請求項２３】
前記拡張現実ヒストリー情報は、前記端末機のユーザ追加情報を含むことを特徴とする請求項２２に記載の拡張現実提供方法。
【発明の詳細な説明】
【技術分野】
【０００１】
本発明は、拡張現実サービスを提供するシステム及び方法に関し、特に、拡張現実ヒストリー情報を利用して友達推薦リストを提供する端末機、サーバ、並びにこれを利用した拡張現実提供システム及び方法に関する。
【背景技術】
【０００２】
近年、無線ネットワーク技術と諸般のインフラの急速な発展に伴い、人々はスマートフォン、ノート・パソコン、ＰＤＡなどの移動端末機を利用していつどこでも所望のデータを得られるようになった。このような移動端末機を介して各種のサービスがユーザに提供されているが、その中でも代表的なサービスがソーシャルネットワークサービス（Ｓｏｃｉａｌ  Ｎｅｔｗｏｒｋ  Ｓｅｒｖｉｃｅ：ＳＮＳ）と拡張現実（Ａｕｇｍｅｎｔｅｄ  Ｒｅａｌｉｔｙ：ＡＲ）サービスである。
【０００３】
ＳＮＳは、モバイル環境でユーザ間において情報を共有できるようにするサービスであって、代表的な例としては、ツイッター（登録商標）がある。ツイッター（登録商標）のようなＳＮＳが活性化することにより、あるユーザが他のユーザとのネットワーキングを通じて他のユーザが経験した情報を有用に活用することができるようになった。すなわち、ユーザの使用地域、関心事などの情報に基づいて、友達推薦機能が提供され、あるユーザが自身と類似した関心を持っている他のユーザを友達として登録し、他のユーザの情報を共有できるようになった。しかしながら、他のユーザの情報を得るためには、サービスプロバイダが予め情報を収集して提供する必要があり、このように予め情報を収集しておかなければ情報を利用する上で限界があるという問題があった。
【０００４】
また、拡張現実サービスは、スマートフォンの普及とあいまって広く普及しており、地理情報技術を通じて周辺情報を検索し、エアタグ（Ａｉｒ  ｔａｇ）のような機能を利用し、地理情報と関連した各種の付加情報をユーザに提供する。しかしながら、拡張現実サービスは、リアルタイムに多くの付加情報を提供できるものの、ユーザの性向や興味に合う情報を提供すること及び他のユーザと関連する情報を共有することには限界があった。
【発明の概要】
【発明が解決しようとする課題】
【０００５】
本発明は、上述した問題を解決するためになされたものであって、その目的は、拡張現実ヒストリー情報に基づいて端末機のユーザの性向や興味に合う友達推薦リストをユーザに提供することができる端末機、サーバ、並びにこれを利用した拡張現実提供システム及び方法を提供することである。
【課題を解決するための手段】
【０００６】
前記目的を達成するための本発明の一実施形態に係る端末機は、サーバに格納された拡張現実ヒストリー情報を利用して拡張現実サービスを提供する端末機であって、前記サーバから前記拡張現実ヒストリー情報を受信する通信部、及び前記通信部を介して前記サーバから前記拡張現実ヒストリー情報を受信し、前記受信した拡張現実ヒストリー情報に基づいて友達推薦リストを生成し、前記友達推薦リストを前記端末機のユーザに提供する制御部、を含むことを特徴とする。
【０００７】
また、本発明の一実施形態に係るサーバは、複数の端末機の拡張現実ヒストリー情報が格納されたメモリと、前記端末機から友達推薦リストの要請を受信し、前記友達推薦リストの要請を送信した前記端末機に前記友達推薦リストを送信する通信部と、前記格納された拡張現実ヒストリー情報に基づいて友達推薦リストを生成する処理部と、を含むことを特徴とする。
【０００８】
また、本発明の一実施形態に係る拡張現実提供システムは、複数の端末機の拡張現実ヒストリー情報を格納するサーバ、及び前記拡張現実ヒストリー情報を利用して拡張現実サービスを提供する端末機、を含み、前記端末機は、前記サーバに格納された前記拡張現実ヒストリー情報に基づいて友達推薦リストを生成し、前記友達推薦リストを前記端末機のユーザに提供することを特徴とする。
【０００９】
また、本発明の一実施形態に係る拡張現実提供方法は、拡張現実サービスを提供する方法であって、サーバに、複数の端末機の拡張現実ヒストリー情報を含む拡張現実ヒストリー情報を要請することと、前記拡張現実ヒストリー情報を受信することと、前記拡張現実ヒストリー情報に基づいて、友達推薦リストを生成することと、前記生成された友達推薦リストを表示することと、を含むことを特徴とする。
【００１０】
また、本発明の一実施形態に係る拡張現実提供方法は、拡張現実サービスを提供する方法であって、端末機から友達推薦リストの要請を受信することと、前記端末機の拡張現実ヒストリー情報と、他の端末機の拡張現実ヒストリー情報とを認識することと、前記認識された拡張現実ヒストリー情報に基づいて、友達推薦リストを生成することと、前記生成された友達推薦リストを送信することと、を含むことを特徴とする。
【発明の効果】
【００１１】
上述したように、拡張現実ヒストリー情報を利用して友達推薦リストをユーザに提供することにより、同じ関心事を持っている多くのユーザの拡張現実情報を共有できるようにすることができる。
【図面の簡単な説明】
【００１２】
【図１】本発明の一実施形態に係る拡張現実提供システムの概略構成図である。
【図２】本発明の一実施形態に係る拡張現実提供システムが各端末機の拡張現実ヒストリー情報の類似度を計算する際に利用する属性情報の一例を示す図である。
【図３】本発明の一実施形態に係る拡張現実提供システムの端末機が友達推薦リストを生成する際の動作を説明する図である。
【図４】図３の端末機がメモリに格納された追加情報をさらに活用して友達推薦リストを生成する際の動作を説明する図である。
【図５】本発明の一実施形態に係る拡張現実提供システムのサーバが友達推薦リストを生成する際の動作を説明する図である。
【図６】図５のサーバが端末機から受信したユーザ追加情報をさらに活用して友達推薦リストを生成する際の動作を説明する図である。
【発明を実施するための形態】
【００１３】
以下、添付図面を参照して本発明について詳しく説明する。なお、添付図面及び以下の説明は、本発明に係る端末機及び端末機のネットワーク接続方法の可能な一実施形態に過ぎず、本発明の技術的思想が同内容にて限定されることではない。
【００１４】
図１は、本発明の一実施形態に係る拡張現実提供システムの概略構成図である。
【００１５】
図１を参照すると、本発明の一実施形態に係る拡張現実提供システムは、端末機１０とサーバ２０とを含む。
【００１６】
端末機１０は、スマートフォン、ＰＤＡなどであってもよい。また、端末機１０は、通信部１２と、制御部１４と、メモリ１６と、をさらに含んでもよい。また、サーバ２０は、拡張現実（ＡＲ）サービスを提供するための拡張現実情報を格納する。
【００１７】
端末機１０の通信部１２は、サーバ２０とデータを送受信し、端末機１０の内部に搭載されるアンテナを含んでもよい。
【００１８】
また、制御部１４は、通信部１２を介してサーバ２０から拡張現実ヒストリー情報を受信し、該受信した拡張現実ヒストリー情報に基づいて端末機１０のユーザの性向にあった友達推薦リストを生成し、該リストを端末機１０のユーザに提供する。友達推薦リストは、これに限定されるものではないが、名前、性別、年齢、電話番号、ＳＮＳのＩＤなどの情報を含んでもよい。
【００１９】
このとき、本明細書における「拡張現実ヒストリー情報」とは、複数のユーザが自身の端末機を介してサーバ２０の拡張現実情報を受信して拡張現実サービスを利用する場合における各ユーザの拡張現実サービス使用履歴情報のことを意味する。例えば、拡張現実ヒストリー情報は、これに限定されるものではないが、ユーザの個人情報、拡張現実（ＡＲ）の利用オブジェクト情報、利用時間情報、利用位置情報、検索キーワード情報、検索時間情報、検索位置情報などを含んでもよい。また、拡張現実ヒストリー情報は、ユーザにより入力される追加情報を含んでもよい。追加情報は、予めまたはリアルタイムで入力されたものであってもよい。
【００２０】
例えば、ユーザの個人情報は、性別、年齢、名前、住所、誕生日などを含んでもよい。拡張現実の利用オブジェクト情報は、ユーザにより受信され、または検索されたオブジェクトに関する情報であってもよい。利用時間情報は、関連する内容を検索するために、それぞれの拡張現実サービスを利用した時間に関する情報であってもよい。検索キーワード情報は、ＡＲサービスを用いて関心事項を特定し、または潜在的な友人を特定するための複数の検索語を含んでもよい。検索時間情報は、それぞれの検索が実行された時間に関するものであってもよい。検索位置情報は、ユーザにより検索された検索地の情報またはそれぞれのユーザにより検索が実行された位置情報に関する情報であってもよい。メモリ１６には、拡張現実ヒストリー情報及びユーザにより端末機の入力部（図示せず）を介して入力されるユーザ追加情報を格納してもよい。
【００２１】
図１に図示したように構成された本発明の拡張現実提供システムは、端末機１０がサーバ２０に格納された複数のユーザの拡張現実ヒストリー情報を受信し、受信した拡張現実ヒストリー情報に基づいて端末機１０のユーザの性向や興味に合う他のユーザを潜在的な友達として推薦してユーザに提供することができる。
【００２２】
後述するが、友達推薦リストの生成は、端末機１０の制御部１４で実行してもよく、端末機１０の代りにサーバ２０で実行されてもよい。この場合には、例えば、サーバ２０が友達推薦リストを生成して端末機１０へ送信し、制御部１４が端末機１０の表示部（図示せず）を介して友達推薦リストを表示するようにしてもよい。
【００２３】
このとき、友達推薦リストの生成は、友達推薦の要請（ｒｅｑｕｅｓｔ）をした端末機の拡張現実ヒストリー情報と、他の端末機の拡張現実ヒストリー情報との類似度を計算することで行うことができる。すなわち、ユーザの性別、年齢、拡張現実の利用オブジェクト、利用時間、利用位置検索キーワード、検索時間、検索位置などの拡張現実ヒストリー情報に対して類似度が予め設定された基準値以上の端末機のユーザに対する情報を友達推薦リストとして生成してもよい。このとき、各類似度の計算の際に利用する拡張現実ヒストリー情報は、端末機のユーザによって選択されるようにしてもよい。
【００２４】
図２は、本発明の一実施形態に係る拡張現実提供システムが、各端末機の拡張現実ヒストリー情報の類似度を計算する際に利用する拡張現実ヒストリーの属性情報の一例を示す図である。
【００２５】
図２を参照すると、六何の原則、すなわち、誰が（Ｗｈｏ）、何を（Ｗｈａｔ）、どのようにして（Ｈｏｗ）、なぜ（Ｗｈｙ）、どこで（Ｗｈｅｒｅ）、いつ（Ｗｈｅｎ）の項目にそれぞれ対応するユーザに関する詳細な属性情報が示されている。図２に図示したように、“Ｗｈｏ”の項目は、ユーザに関する性別、年齢、居住地、仲間の情報を含んでもよい。“Ｗｈａｔ”の項目は、ユーザが参加する旅行や活動の種類に関する情報を含んでもよい。“Ｈｏｗ”の項目は、旅行方法や実現方法などの情報を含んでもよい。“Ｗｈｙ”の項目は、ユーザが参加する活動の目的や理由に関する情報を含んでもよい。“Ｗｈｅｒｅ”の項目は、ユーザが意図した、現在、過去、及び未来の位置情報を含んでもよく、訪問回数に関する情報を含んでもよい。“Ｗｈｅｎ”の項目は、ユーザにより予定され、実行された様々な活動の日付及び時間を示すものであってもよい。
【００２６】
ユーザは複数の属性情報に基づいて友達推薦サービスをリクエストしてもよい。例えば、特定のユーザが端末機１０を利用して旅行する地域の旅行情報を得ようとする場合には、ユーザ自身が既に拡張現実サービスを利用したヒストリー情報、ユーザが入力する地域、及び旅行カテゴリー情報に基づき、類似した関心を持つ他のユーザを友達として推薦することができる。このとき、端末機１０のユーザは、推薦された友達リスト上のユーザの拡張現実情報を共有できるようになる。従って、他のユーザが既に体験した拡張現実情報を容易に得ることができるようになる。
【００２７】
以下、図３乃至図６を参照して、本発明の一実施形態に係る拡張現実提供システムの動作を詳しく説明することにする。
【００２８】
図３は、本発明の一実施形態に係る拡張現実提供システムの端末機が友達推薦リストを生成する際の動作を説明する図である。
【００２９】
サーバ２０には、基本的に端末機１０が今まで利用していた拡張現実ヒストリー情報だけでなく、他の端末機の拡張現実ヒストリー情報をも格納されている。すなわち、サーバ２０には、すべてのユーザらの拡張現実ヒストリー情報が格納されている。拡張現実ヒストリー情報の範囲は、拡張現実の利用オブジェクト情報、利用時間情報、利用位置情報、検索キーワード情報、検索時間情報、検索位置情報などの基本的な情報と、端末機のユーザが共有を許諾した追加情報が含まれていてもよい。追加情報としては、ユーザの性別、年齢、身長、体重などの個人情報と関心事に関連した情報であってもよい。
【００３０】
図３は、サーバ２０が拡張現実ヒストリー情報のみを格納しており、友達推薦リストの生成及び提供を端末機１０で行なうようにした場合を説明している。
【００３１】
図３を参照すると、端末機１０は、ユーザが友達推薦リストの提供を所望する場合には、サーバ２０へ拡張現実ヒストリー情報を要請する（Ｓ１００）。サーバ２０は、端末機１０から拡張現実ヒストリー情報の要請を受けると、データベースＤＢを照会し（Ｓ１１０）、拡張現実ヒストリー情報を端末機１０へ送信する（Ｓ１２０）。
【００３２】
端末機１０は、サーバ２０から受信した拡張現実ヒストリー情報に基づいて友達推薦リストを生成する（Ｓ１３０）。このとき、友達推薦リストを生成する方法は、前述したように、端末機１０の拡張現実ヒストリー情報と他の端末機の拡張現実ヒストリー情報との類似度を計算することで行なうことができる。
【００３３】
友達推薦リストが生成されると、端末機１０は、表示部（図示せず）を介して友達推薦リストを提供し（Ｓ１４０）、ユーザが友達推薦リストを見て、選択することにより、類似した関心を持っている他のユーザの拡張現実利用情報を検索することができるようになる。
【００３４】
図４は、図３の端末機がメモリに格納された追加情報をさらに利用して友達推薦リストを生成する際の動作を説明する図である。
【００３５】
メモリ１６は、端末機１０の拡張現実ヒストリー情報を、サーバ２０とは別に、又は、サーバ２０と両方に格納してもよい。また、メモリ１６は、入力部（図示せず）を介してユーザによって入力されるユーザ追加情報を格納してもよい。
【００３６】
図４を参照すると、端末機１０がサーバ２０へ拡張現実ヒストリー情報を要請すると、（Ｓ２００）、サーバ２０はＤＢを照会し（Ｓ２１０）、拡張現実ヒストリー情報を端末機１０へ送信する（Ｓ２２０）。
【００３７】
このとき、端末機１０は、メモリ１６に格納されたユーザの拡張現実ヒストリー情報またはユーザ追加情報を照会する（Ｓ２３０）。端末機１０は、サーバ２０から受信した拡張現実ヒストリー情報及びメモリ１６に格納された情報を用いて友達推薦リストを生成し（Ｓ２４０）、表示部（図示せず）を介して友達推薦リストをユーザに提供する。拡張現実ヒストリー情報及び追加情報は、ユーザの設定によって友達推薦リストの生成に選択的に利用されてもよい。
【００３８】
このように、端末機１０のメモリ１６に格納された情報をさらに利用することにより、ユーザの設定によって友達推薦リストの生成をより詳細に生成するようにすることが可能となり、且つ、公開されないようにすべき個人情報をサーバ２０に提供しないようにすることができるため、セキュリティの確保という面で有利である。
【００３９】
このような図３及び図４に示す拡張現実提供システムは、サーバ２０が拡張現実ヒストリー情報のみを格納し、端末機１０がこの拡張現実ヒストリー情報を受信して友達推薦リストを生成する。しかし、このような場合、端末機１０に過度の負荷がかかり、処理速度が遅くなることがあるため、図５及び図６に示すように、サーバ２０で友達推薦リストを生成する方法を用いてもよい。以下、図５及び図６を参照して説明する。
【００４０】
図５は、本発明の一実施形態に係る拡張現実提供システムのサーバが友達推薦リストを生成する際の動作を説明する図である。
【００４１】
図５を参照すると、端末機１０から、ユーザは友達推薦リストの提供を所望する場合、サーバ２０に友達推薦の要請を送信する（Ｓ３００）。サーバ２０は、端末機１０から友達推薦の要請を受信すると、ＤＢを照会し（Ｓ３１０）、友達推薦リストを生成する（Ｓ３２０）。このとき、友達推薦リストの生成は、サーバ２０に格納されている複数のユーザの拡張現実ヒストリー情報に基づき、類似度を演算する方法を用いる。
【００４２】
友達推薦リストが生成されると、サーバ２０は、友達推薦リストを端末機１０へ送信し（Ｓ３３０）、端末機１０は、友達推薦リストをユーザに提供する（Ｓ３４０）。
【００４３】
図６は、サーバが端末機から受信したユーザ追加情報をさらに利用して友達推薦リストを生成する際の動作を説明する図である。
【００４４】
図６を参照すると、端末機１０は、友達推薦の要請とともにユーザ追加情報をサーバ２０へ送信する（Ｓ４００）。このとき、ユーザ追加情報とは、ユーザによって端末機１０のメモリ１６に入力され、格納された情報のことを意味する。端末機１０の拡張現実ヒストリー情報は、端末機１０とサーバ２０のメモリの両方に格納されていてもよいため、拡張現実ヒストリー情報は、サーバ２０へ送信されしなくともよい。しかし、ユーザによってさらに追加的に入力され、設定された情報が、拡張現実ヒストリー情報に反映された場合、端末機１０に格納された追加情報が、サーバ２０に追加情報として供給されてもよい。
【００４５】
このとき、サーバ２０は、ＤＢを照会し（Ｓ４１０）、サーバ２０内に格納された拡張現実ヒストリー情報と端末機１０から受信したユーザ追加情報とに基づいて友達推薦リストを生成し（Ｓ４２０）、これを端末機１０に提供する（Ｓ４３０）。
【００４６】
端末機１０は、サーバ２０から友達推薦リストを受信し、友達推薦リストを表示部を介してユーザに提供する（Ｓ４４０）。このような方法を用いると、サーバ２０の処理速度を端末機１０の処理速度と比べて高速にすることができるため、友達推薦リストを早く生成することができ、且つ、端末機１０への負荷が少なくて済むことからバッテリーの消耗などを抑えられるという効果がある。また、ユーザ追加情報は、ユーザによって選択されるため、セキュリティを確保することにも特に問題がない。
【００４７】
本発明に係る拡張現実提供システムにおいて、友達推薦リストをユーザが選択した場合に見ることができる情報としては、ＳＮＳのＩＤ情報、電子メールアドレス、電話番号情報などが考えられる。このとき、類似度が高いほどリストの上位に位置付けさせることができ、類似度の程度が高いほど情報の露出段階を高く設定することにより、多様なインターフェースを提供することもできる。本発明に係る拡張現実提供システムが適用できる例として、次のような例がある。
【００４８】
＜観光情報の共有＞
ユーザＡが慶州への旅行の際に、瞻星台、武烈王陵、敢石亭、仏国寺の順に観光しながら、拡張現実サービスを利用したとする。ユーザＢもまた、慶州を旅行しながら、瞻星台、武烈王陵、敢石亭、仏国寺を観光しており、他のユーザの共感を得ることができる情報や、推薦観光地、おいしい店などの情報を、ＳＮＳを介して得たいと考えているとする。このとき、ユーザＢは、慶州の旅行地域及び旅行関心事、好みの食べ物などに関する属性情報に基づき、端末機１０にて友達推薦リストの提供を受け、ユーザＡとＳＮＳ情報を共有することが可能である。
【００４９】
＜オフライン友達作り＞
ユーザＡが１０月２６日１０時の搭乗を待ちながら仁川空港で拡張現実サービスを利用しているとする。ユーザＢもまた、１０月２６日１０時の搭乗を待ちながら仁川空港で自身と出発時間や目的地が同じ仁川空港の利用客と、ＳＮＳネットワーキングを形成したいと考えているとする。このとき、ユーザＢは、仁川空港、出発時間、及び目的地に関する属性情報に基づき、端末機１０にて友達推薦リストの提供を受け、ユーザＡとＳＮＳネットワーキングを形成することができる。このとき、ユーザＢは、ユーザＡと実際にオフラインで出会って旅行情報を共有しながら待ち時間を楽しく過ごすことができる。
【００５０】
＜ショッピング＞
ユーザＡが、Ｋ社のノート・パソコンの購買を悩んでおり、拡張現実サービスを利用してＫ社のノート・パソコン情報を見ているときに、他のユーザの推薦情報を共有したいと考えているとする。ユーザＡは、拡張現実サービスを利用して、属性情報としてＫ社のノート・パソコンを選択し、友達推薦リストの提供を要請する。端末機１０は、ユーザＡに対して、拡張現実サービスを利用しておりＫ社のノート・パソコンを利用しているか又は批評しているユーザＢを推薦し、ユーザＡは、ユーザＢにより提供された拡張現実利用情報をＫ社のノート・パソコンの購買の際に参考とすることができる。
【００５１】
上述したように、本発明の一実施形態に係る端末機、サーバ、並びに拡張現実提供システム及び方法によれば、拡張現実ヒストリー情報を利用してＳＮＳネットワーキングの利用を拡張することができるため、ユーザに対してより能動的に利用することができる拡張現実サービスを提供することができる。
【符号の説明】
【００５２】
１０  端末機
１２  通信部
１４  制御部
１６  メモリ
２０  サーバ
【図１】
2012141971.tif 000003
【図２】
2012141971.tif 000004
【図３】
2012141971.tif 000005
【図４】
2012141971.tif 000006
【図５】
2012141971.tif 000007
【図６】
2012141971.tif 000008